(57)【特許請求の範囲】
【請求項１】
下記の第１型束石用ブロック体（２）、第２型束石用ブロック体（３）を組合わせたり、単独で用いた十字型柱状体（１Ａ）、Ｔ字型柱状体（１Ｂ）、Ｉ字型柱状体（１Ｃ）から構成されていることを特徴とする束石状体。
Ａ．第１型束石用ブロック体（２）は、正面縦長の方形に構成されたブロック（２Ａ）における上辺中央に当該ブロックの厚さに相当する幅の縦溝（２Ｂ）が、当該ブロックの上半分にわたって刻設され、ブロック（２Ａ）における上面左右部分、下面左右部分にはそれぞれ土台（４）や大引（５）を止付けるためのアンカーボルトをねじ込む第１メネジコネクター（２Ｃ）が組込まれ、正面上下部分、背面上下部分にはそれぞれ止付け用金具を止付けるためのボルトをねじ込む第２メネジコネクター（２Ｄ）が組込まれ、
Ｂ．第２型束石用ブロック体（３）は、正面縦長の方形に構成されたブロック（３Ａ）における左右側面のうちの一方側面の上半分に第１型束石用ブロック体（２）における縦溝（２Ｂ）に嵌合する角柱状縦突起（３Ｂ）が突設され、ブロック（３Ａ）における上面部分には土台（４）や大引（５）を止付けるためのアンカーボルトをねじ込む第１メネジコネクター（３Ｃ）が組込まれ、正面下部分には止付け用金具を止付けるためのボルトをねじ込む第２メネジコネクター（３Ｄ）が組込まれ、
Ｃ．十字型柱状体（１Ａ）は、２個の第１型束石用ブロック体（２）を用意し、縦溝（２Ｂ）部分を上向きの状態にした一方の第１型束石用ブロック体（２）に、縦溝（２Ｂ）部分を下向きの状態にした他方の第１型束石用ブロック体（２）を、互いの縦溝（２Ｂ）を嵌合固定させ平面十字型に連結して使用するよう構成され、
Ｄ．Ｔ字型柱状体（１Ｂ）は、縦溝（２Ｂ）部分を上向きの状態にした第１型束石用ブロック体（２）に、第２型束石用ブロック体（３）の角柱状突起縦（３Ｂ）を嵌合固定して平面Ｔ字型に連結して使用するよう構成され、
Ｅ．Ｉ字型柱状体（１Ｃ）は、１個の第１型束石用ブロック体（２）を縦溝（２Ｂ）部分が下方に向く状態で使用するよう構成されている。
【請求項２】
下記の第１型束石用ブロック体（２１）、第２型束石用ブロック体（３１）を組合わせたり、単独で用いた十字型柱状体（１１Ａ）、Ｔ字型柱状体（１１Ｂ）、Ｉ字型柱状体（１１Ｃ）から構成されていることを特徴とする束石状体。
Ａ．第１型束石用ブロック体（２１）は、正面縦長の方形に構成されたブロック（２１Ａ）における上辺中央に当該ブロックの厚さに相当する幅の縦溝（２１Ｂ）が、当該ブロックの上半分にわたって刻設され、ブロック（２１Ａ）における上面左右部分、下面左右部分にはそれぞれ土台（４）や大引（５）を止付けるためのアンカーボルトをねじ込む第１メネジコネクター（２１Ｃ）が組込まれ、正面上下部分、背面上下部分にはそれぞれ止付け用金具を止付けるためのボルトをねじ込む第２メネジコネクター（２１Ｄ）が組込まれ、さらに、ブロック（２１Ａ）における正面と背面の中央には断面コ字状の縦溝（２１Ｅ）が刻設され、また、縦溝（２１Ｂ）の両内面には断面コ字状の縦突条（２１Ｆ）が突設され、
Ｂ．第２型束石用ブロック体（３１）は、正面縦長の方形に構成されたブロック（３１Ａ）における左右側面のうちの一方側面の上半分に第１型束石用ブロック体（２１）における縦溝（２１Ｂ）に嵌合する角柱状縦突起（３１Ｂ）が突設され、ブロック（３１Ａ）における上面部分には土台（４）や大引（５）を止付けるためのアンカーボルトをねじ込む第１メネジコネクター（３１Ｃ）が組込まれ、正面下部分には止付け用金具を止付けるためのボルトをねじ込む第２メネジコネクター（３１Ｄ）が組込まれ、さらに、角柱状縦突起（３１Ｂ）の前後面には断面コ字状の縦溝（３１Ｅ）が刻設され、また、ブロック（３１Ａ）における角柱状縦突起側の面には断面コ字状の縦突条（３１Ｆ）が突設され、
Ｃ．２個の第１型束石用ブロック体（２１）で平面十字型に連結する場合、一方の縦溝（２１Ｅ）と他方の縦突条（２１Ｆ）とが嵌合し、また、第１型束石用ブロック体（２１）と第２型束石用ブロック体（３１）で、平面Ｔ字型に連結する場合、縦溝（３１Ｅ）は縦溝（２１Ｆ）と、縦突条（３１Ｆ）は縦突条（２１Ｅ）と嵌合する。
【請求項３】
大引のかわりに床梁を用いる場合、床梁の梁背に合うように第１型束石用ブロック体と第２型束石用ブロック体の上面部分をあらかじめカットしたものを用い、床梁の対応を可能とすることができるよう構成された請求項１あるいは請求項２記載の束石状体。
【発明の詳細な説明】
【０００１】
【発明の属する技術分野】
本発明は木造・鉄骨造の建築物における束石状体に関するものである。
すなわち、基礎工事に際して適切な構造・耐力を保有し、床下の空気流通を充分に図ると共に、材量・作業量を減らすことで大幅な工期短縮・コストダウンしようとするものである。
【０００２】
【従来の技術】
従来、この種のものにあっては、下記のようなものになっている。
特許第２８２９３１３号（特願平５−１２０４９７号）においては、
１．断面逆Ｔ状に構成した外周り基礎内に地盤面下で鉄筋コンクリート耐圧盤を一体に形成する。
２．束石状体を植設せしめる。
３．束石状体を形成する筒体を植設し、筒体内にコンクリートを打設して形成する。
【０００３】
【発明が解決しようとする課題】
従来の技術で述べたものにあっては、下記のような問題点を有していた。
１．束石状体を植設せしめる構成については、十字、Ｔ字、Ｌ字、Ｉ字、Ｏ字型と種類が多く、底板を有して耐圧盤にアンカーボルトで止め付けているため、束石状体の製造が困難で、運搬・施工もしにくい。
２．束石状体を形成する筒体を植設し、筒体内にコンクリートを打設して形成する構成については、筒体を現場で取付け、コンクリートを打設するため、一番最後にこの筒体のコンクリート打設となり、ベースから数えて４回目となる。
３．大引のかわりに床梁を用いる場合、ポストの高さが一定のため梁材を用いることができない。
【０００４】
本願は、従来の技術の有するこのような問題点に鑑みなされたものであり、その目的とするところは、下記のようにすることのできるものを提供しようとするものである。
１．束石状体を基本２タイプによる組合わせとし、十字、Ｔ字、Ｉ字型の３種類とする。
２．大引梁を受けるために基本の束石用ブロック体の上端を使用する梁背（高さ）に合うようあらかじめカットしたものを用いる。
【０００５】
【課題を解決するための手段】
上記目的を達成するために、本発明は下記のようになるものである。
請求項１記載の発明は、下記の第１型束石用ブロック体２、第２型束石用ブロック体３を組合わせたり、単独で用いた十字型柱状体１Ａ、Ｔ字型柱状体１Ｂ、Ｉ字型柱状体１Ｃから構成されている束石状体である。
Ａ．第１型束石用ブロック体２は、正面縦長の方形に構成されたブロック２Ａにおける上辺中央に当該ブロックの厚さに相当する幅の縦溝２Ｂが、当該ブロックの上半分にわたって刻設され、ブロック２Ａにおける上面左右部分、下面左右部分にはそれぞれ土台４や大引５を止付けるためのアンカーボルトをねじ込む第１メネジコネクター２Ｃが組込まれ、正面上下部分、背面上下部分にはそれぞれ止付け用金具を止付けるためのボルトをねじ込む第２メネジコネクター２Ｄが組込まれ、
Ｂ．第２型束石用ブロック体３は、正面縦長の方形に構成されたブロック３Ａにおける左右側面のうちの一方側面の上半分に第１型束石用ブロック体２における縦溝２Ｂに嵌合する角柱状縦突起３Ｂが突設され、ブロック３Ａにおける上面部分には土台４や大引５を止付けるためのアンカーボルトをねじ込む第１メネジコネクター３Ｃが組込まれ、正面下部分には止付け用金具を止付けるためのボルトをねじ込む第２メネジコネクター３Ｄが組込まれ、
Ｃ．十字型柱状体１Ａは、２個の第１型束石用ブロック体２を用意し、縦溝２Ｂ部分を上向きの状態にした一方の第１型束石用ブロック体２に、縦溝２Ｂ部分を下向きの状態にした他方の第１型束石用ブロック体２を、互いの縦溝２Ｂを嵌合固定させ平面十字型に連結して使用するよう構成され、
Ｄ．Ｔ字型柱状体１Ｂは、縦溝２Ｂ部分を上向きの状態にした第１型束石用ブロック体２に、第２型束石用ブロック体３の角柱状突起縦３Ｂを嵌合固定して平面Ｔ字型に連結して使用するよう構成され、
Ｅ．Ｉ字型柱状体１Ｃは、１個の第１型束石用ブロック体２を縦溝２Ｂ部分が下方に向く状態で使用するよう構成されている。
【０００６】
請求項２記載の発明は、下記の第１型束石用ブロック体２１、第２型束石用ブロック体３１を組合わせたり、単独で用いた十字型柱状体１１Ａ、Ｔ字型柱状体１１Ｂ、Ｉ字型柱状体１１Ｃから構成されている束石状体である。
Ａ．第１型束石用ブロック体２１は、正面縦長の方形に構成されたブロック２１Ａにおける上辺中央に当該ブロックの厚さに相当する幅の縦溝２１Ｂが、当該ブロックの上半分にわたって刻設され、ブロック２１Ａにおける上面左右部分、下面左右部分にはそれぞれ土台４や大引５を止付けるためのアンカーボルトをねじ込む第１メネジコネクター２１Ｃが組込まれ、正面上下部分、背面上下部分にはそれぞれ止付け用金具を止付けるためのボルトをねじ込む第２メネジコネクター２１Ｄが組込まれ、さらに、ブロック２１Ａにおける正面と背面の中央には断面コ字状の縦溝２１Ｅが刻設され、また、縦溝２１Ｂの両内面には断面コ字状の縦突条２１Ｆが突設され、
Ｂ．第２型束石用ブロック体３１は、正面縦長の方形に構成されたブロック３１Ａにおける左右側面のうちの一方側面の上半分に第１型束石用ブロック体２１における縦溝２１Ｂに嵌合する角柱状縦突起３１Ｂが突設され、ブロック３１Ａにおける上面部分には土台４や大引５を止付けるためのアンカーボルトをねじ込む第１メネジコネクター３１Ｃが組込まれ、正面下部分には止付け用金具を止付けるためのボルトをねじ込む第２メネジコネクター３１Ｄが組込まれ、さらに、角柱状縦突起３１Ｂの前後面には断面コ字状の縦溝３１Ｅが刻設され、また、ブロック３１Ａにおける角柱状縦突起側の面には断面コ字状の縦突条３１Ｆが突設され、
Ｃ．２個の第１型束石用ブロック体２１で平面十字型に連結する場合、一方の縦溝２１Ｅと他方の縦突条２１Ｆとが嵌合し、また、第１型束石用ブロック体２１と第２型束石用ブロック体３１で、平面Ｔ字型に連結する場合、縦溝３１Ｅは縦溝２１Ｆと、縦突条３１Ｆは縦突条２１Ｅと嵌合する。
【０００７】
請求項１または請求項２記載の発明を下記のように構成することができる。
大引のかわりに床梁を用いる場合、床梁の梁背に合うように第１型束石用ブロック体と第２型束石用ブロック体の上面部分をあらかじめカットしたものを用い、床梁の対応を可能とすることができる。
【０００８】
【発明の実施の形態】
発明の実施の形態について図面を参照して説明する。
１は第１発明の束石状体で、下記の第１型束石用ブロック体２、第２型束石用ブロック体３を組合わせたり、単独で用いた十字型柱状体１Ａ、Ｔ字型柱状体１Ｂ、Ｉ字型柱状体１Ｃから構成されている。
なお、束石状体は、ＰＣ（プレキャストコンクリート）、廃粉利用軽量コンクリート、塩化ビニール、硬質プラスチック、鉄等を素材として構成されている。
Ａ．第１型束石用ブロック体２は、正面縦長の方形に構成されたブロック２Ａにおける上辺中央に当該ブロックの厚さに相当する幅の縦溝２Ｂが、当該ブロックの上半分にわたって刻設されている。
加えて、ブロック２Ａにおける上面左右部分、下面左右部分にはそれぞれ土台４や大引５を止付けるためのアンカーボルトをねじ込む第１メネジコネクター２Ｃが組込まれ、正面上下部分、背面上下部分にはそれぞれ止付け用金具１５を止付けるためのボルトをねじ込む第２メネジコネクター２Ｄが組込まれている。
Ｂ．第２型束石用ブロック体３は、正面縦長の方形に構成されたブロック３Ａにおける左右側面のうちの一方側面の上半分に第１型束石用ブロック体２における縦溝２Ｂに嵌合する角柱状縦突起３Ｂが突設されている。
加えて、ブロック３Ａにおける上面部分には土台４や大引５を止付けるためのアンカーボルトをねじ込む第１メネジコネクター３Ｃが組込まれ、正面下部分には止付け用金具１５を止付けるためのボルトをねじ込む第２メネジコネクター３Ｄが組込まれている。
Ｃ．十字型柱状体１Ａは、２個の第１型束石用ブロック体２を用意し、縦溝２Ｂ部分を上向きの状態にした一方の第１型束石用ブロック体２に、縦溝２Ｂ部分を下向きの状態にした他方の第１型束石用ブロック体２を、互いの縦溝２Ｂを嵌合固定させ平面十字型に連結して使用するよう構成されている。
Ｄ．Ｔ字型柱状体１Ｂは、縦溝２Ｂ部分を上向きの状態にした第１型束石用ブロック体２に、第２型束石用ブロック体３の角柱状突起縦３Ｂを嵌合固定して平面Ｔ字型に連結して使用するよう構成されている。
Ｅ．Ｉ字型柱状体１Ｃは、１個の第１型束石用ブロック体２を縦溝２Ｂ部分が下方に向く状態で使用するよう構成されている。
【０００９】
１１は第２発明の束石状体で、下記の第１型束石用ブロック体２１、第２型束石用ブロック体３１を組合わせたり、単独で用いた十字型柱状体１１Ａ、Ｔ字型柱状体１１Ｂ、Ｉ字型柱状体１１Ｃから構成されている。
なお、束石状体は、ＰＣ（プレキャストコンクリート）、廃粉利用軽量コンクリート、塩化ビニール、硬質プラスチック、鉄等を素材として構成されている。
Ａ．第１型束石用ブロック体２１は、正面縦長の方形に構成されたブロック２１Ａにおける上辺中央に当該ブロックの厚さに相当する幅の縦溝２１Ｂが、当該ブロックの上半分にわたって刻設されている。
さらに、ブロック２１Ａにおける上面左右部分、下面左右部分にはそれぞれ土台４や大引５を止付けるためのアンカーボルトをねじ込む第１メネジコネクター２１Ｃが組込まれ、正面上下部分、背面上下部分にはそれぞれ止付け用金具１５を止付けるためのボルトをねじ込む第２メネジコネクター２１Ｄが組込まれている。
加えて、ブロック２１Ａにおける正面と背面の中央には断面コ字状の縦溝２１Ｅが刻設され、また縦溝２１Ｂの両内面には断面コ字状の縦突条２１Ｆが突設されている。
Ｂ．第２型束石用ブロック体３１は、正面縦長の方形に構成されたブロック３１Ａにおける左右側面のうちの一方側面の上半分に第１型束石用ブロック体２１における縦溝２１Ｂに嵌合する角柱状縦突起３１Ｂが突設されている。
さらに、ブロック３１Ａにおける上面部分には土台４や大引５を止付けるためのアンカーボルトをねじ込む第１メネジコネクター３１Ｃが組込まれ、正面下部分には止付け用金具１５を止付けるためのボルトをねじ込む第２メネジコネクター３１Ｄが組込まれている。
加えて、角柱状縦突起３１Ｂの前後面には断面コ字状の縦溝３１Ｅが刻設され、また、ブロック３１Ａにおける角柱状縦突起側の面には断面コ字状の縦突条３１Ｆが突設されている。
Ｃ．２個の第１型束石用ブロック体２１で、上述のように平面十字型に連結する場合、一方の縦溝２１Ｅと他方の縦突条２１Ｆとが嵌合することになる。
また、第１型束石用ブロック体２１と第２型束石用ブロック体３１で、上述のように平面Ｔ字型に連結する場合、縦溝３１Ｅは縦溝２１Ｅと、縦突条３１Ｆは縦突条２１Ｆと嵌合することになる。
この結果、ブロック同士の連結時の噛合わせを確実にし、設置時のぶれを抑えることができる。
【００１０】
大引のかわりに床梁を用いる場合、床梁の梁背に合うように第１型束石用ブロック体２、２１、第２型束石用ブロック体３、３１の上面部分をあらかじめカットしたものを用い、床梁の対応を可能とすることができる。（図１１、図１２）
【００１１】
ここで、束石状体１、１１と鉄筋コンクリート耐圧盤との止付け状態を、束石状体１を例に説明する。（図１３〜図２０参照）
十字型柱状体１Ａ、Ｔ字型柱状体１Ｂ、Ｉ字型柱状体１Ｃを所定位置に配設したのち、止付け用金具１５のボルト穴に合わせてオールアンカー１６あるいはアンカーボルト１７を打込み、これと第２メネジコネクター２Ｄとをボルト止めする。
この止付け用金具１５は、平面略方形の基盤１５Ａの外周の一部に平面Ｌ字状の左右壁１５Ｂ、１５Ｂが起立連設され、基盤１５Ａには耐圧盤との連結用のボルト穴１５Ａ１が、また、左右壁１５Ｂには第２メネジコネクターと対応する連結用のボルト穴１５Ｂ１が開設されている。
土台４や大引５との連結は、これらを貫通するボルトを第１メネジコネクター２Ｃにねじ込むことになる。
【００１２】
【発明の効果】
本発明は、上述の通り構成されているので次に記載する効果を有する。
Ａ．従来のもののように中布基礎の立ち上りがなく、十字型柱状体１Ａ、Ｔ字型柱状体１Ｂ、Ｉ字型柱状体１Ｃなどから所望するものを束石状体１として用いるため、空気の流通が充分図られることにより、ナミダタケ・カビ等の腐朽菌が発生しにくい。
Ｂ．束石状体は、工場生産に好適なものなので、耐力上高強度で均一なものとすることができ、また、基本タイプである２種類の第１型束石用ブロック２、第２型束石用ブロック３の組合わせで、十字型、Ｔ字型となるので工場での生産性が向上し、量産化によるコストダウンが図れ、運搬、施工も機能的となる。
Ｃ．建築後、土台上げ工事が必要な場合、外周り基礎６、立ち上り部６１だけをコンクリート打ち上げ、束石状体を交換するだけで当該土台上げ工事を安価で容易に行うことができる。
Ｄ．床下の空間が広くなるため、長期的な床下のメンテナンスがよくなる。
Ｅ．床下の木材の切屑やゴミ等の清掃が容易となり、床下がきれいで腐朽菌の発生要因がなくなる。
【００１３】
Ｆ．鉄筋コンクリート耐圧盤７が地盤面上に納まるので、地盤の土のすき取りが少なく、コンクリート打設後に、束石状体を設置できるので施工性が良く、工期短縮ができる。
Ｇ．各束石状体の下部にはボルトをねじ込むメネジコネクターが組込まれているので、ボルトにより簡単に鉄筋コンクリート耐圧盤７に緊結できる。
地震等の水平力に対して、外周り基礎６と鉄筋コンクリート耐圧盤７、鉄筋コンクリート耐圧盤７と束石状体、鉄筋コンクリート耐圧盤７と地中梁８が一体化されているので強い構造とすることができる。
Ｈ．加えて、束石状体と、土台４、大引５の関係において、束石状体の上端面にアンカーボルトを２本以上ねじ込む第１メネジコネクターが組込まれているから、束石状体と土台４、大引５を強固に止付けることができる。
【図面の簡単な説明】
【図１】第１型束石用ブロック体の斜視図である。
【図２】第２型束石用ブロック体の斜視図である。
【図３】第１発明を構成する十字型柱状体の分解斜視図である。
【図４】Ｔ字型柱状体の分解斜視図である。
【図５】Ｉ字型柱状体の斜視図である。
【図６】第２発明を構成する十字型柱状体の分解斜視図である。
【図７】Ｔ字型柱状体の分解斜視図である。
【図８】Ｉ字型柱状体の斜視図である。
【図９】第１メネジコネクター部分の要部拡大斜視図である。
【図１０】第２メネジコネクター部分の要部拡大斜視図である。
【図１１】十字型柱状体の他の実施例の分解斜視図である。
【図１２】同上の使用状態を示す斜視図である。
【図１３】十字型柱状体と鉄筋コンクリート耐圧盤や大引などへの取付け状態を説明する平面図である。
【図１４】同上の斜視図である。
【図１５】Ｔ字型柱状体と鉄筋コンクリート耐圧盤や大引などへの取付け状態を説明する平面図である。
【図１６】同上の斜視図である。
【図１７】Ｉ字型柱状体と鉄筋コンクリート耐圧盤や大引などへの取付け状態を説明する平面図である。
【図１８】同上の斜視図である。
【図１９】十字型柱状体などの鉄筋コンクリート耐圧盤への取付け状態を説明する要部拡大断面図である。
【図２０】十字型柱状体などの鉄筋コンクリート耐圧盤への取付け状態を説明する要部拡大断面図である。
【図２１】束石状体の配設状態を示す斜視図である。
【図２２】束石状体の使用状態を示す１部を切欠いた斜視図である。
【符号の説明】
１  第１発明の束石状体
２  第１型束石用ブロック体
３  第２型束石用ブロック体
１Ａ  十字型柱状体
１Ｂ  Ｔ字型柱状体
１Ｃ  Ｉ字型柱状体
１１  第２発明の束石状体
４  土台
５  大引
【図１】
0003689411.tif 000002
【図２】
0003689411.tif 000003
【図３】
0003689411.tif 000004
【図４】
0003689411.tif 000005
【図５】
0003689411.tif 000006
【図６】
0003689411.tif 000007
【図７】
0003689411.tif 000008
【図８】
0003689411.tif 000009
【図９】
0003689411.tif 000010
【図１０】
0003689411.tif 000011
【図１１】
0003689411.tif 000012
【図１２】
0003689411.tif 000013
【図１３】
0003689411.tif 000014
【図１４】
0003689411.tif 000015
【図１５】
0003689411.tif 000016
【図１６】
0003689411.tif 000017
【図１７】
0003689411.tif 000018
【図１８】
0003689411.tif 000019
【図１９】
0003689411.tif 000020
【図２０】
0003689411.tif 000021
【図２１】
0003689411.tif 000022
【図２２】
0003689411.tif 000023